【手続補正書】
【提出日】平成25年11月7日(2013.11.7)
【手続補正１】
【補正対象書類名】特許請求の範囲
【補正対象項目名】全文
【補正方法】変更
【補正の内容】
【特許請求の範囲】
【請求項１】
回転する被帯電体の回転軸方向に沿って配置されて当該被帯電体の表面を帯電する帯電手段と、
前記帯電手段を構成する部品に接触しつつ前記回転軸方向に移動することで当該部品を清掃するとともに清掃した後には前記被帯電体における当該回転軸方向の一方の端部側に設けられた待機位置に戻る清掃部材と、
前記回転軸方向に沿って配置されるとともに回転駆動力を受けて回転することにより前記清掃部材に対して前記回転軸方向に移動する移動力を付与する付与部材と、
前記清掃部材の移動を規制する清掃部材規制手段と、
前記付与部材の移動を規制する付与部材規制手段と、
を備え、
前記付与部材が移動力を付与しているにも関わらず前記清掃部材の移動が前記清掃部材規制手段により規制される場合に当該付与部材に作用する力と、前記付与部材規制手段が前記付与部材の移動を規制する際に当該付与部材に作用する力とが引き合う関係となることを特徴とする帯電装置。
【請求項２】
前記清掃部材の移動が前記清掃部材規制手段により規制される場合に前記付与部材に力が作用する部位と、前記付与部材規制手段が当該付与部材の移動を規制する際に当該付与部材に力が作用する部位とは、当該付与部材を回転可能に支持する支持部材を挟んで反対側であることを特徴とする請求項１に記載の帯電装置。
【請求項３】
前記付与部材には外周面から凹んだ凹部が形成されており、
前記付与部材規制手段は、前記付与部材の前記凹部に嵌め込まれる止め輪を有することを特徴とする請求項１または２に記載の帯電装置。
【請求項４】
前記清掃部材が前記付与部材から受ける移動力と、前記清掃部材規制手段が当該清掃部材の移動を規制する際に当該清掃部材が受ける力とが同軸上に作用することを特徴とする請求項１から３のいずれか１項に記載の帯電装置。
【請求項５】
前記清掃部材規制手段は、前記付与部材を回転可能に支持する支持部材、または当該支持部材と前記清掃部材との間に介在する部材であることを特徴とする請求項１から４のいずれか１項に記載の帯電装置。
【請求項６】
回転する被帯電体の回転軸方向に沿って配置されて当該被帯電体の表面を帯電する帯電手段を構成する部品に接触しつつ当該回転軸方向に移動することで当該部品を清掃するとともに清掃した後には当該被帯電体における当該回転軸方向の一方の端部側に設けられた待機位置に戻る清掃部材と、
前記回転軸方向に沿って配置されるとともに回転駆動力を受けて回転することにより前記清掃部材に対して前記回転軸方向に移動する移動力を付与する付与部材と、
前記清掃部材の移動を規制する清掃部材規制手段と、
前記付与部材の移動を規制する付与部材規制手段と、
を備え、
前記付与部材が移動力を付与しているにも関わらず前記清掃部材の移動が前記清掃部材規制手段により規制される場合に当該付与部材に作用する力と、前記付与部材規制手段が前記付与部材の移動を規制する際に当該付与部材に作用する力とが引き合う関係となることを特徴とする清掃装置。
【請求項７】
前記清掃部材の移動が前記清掃部材規制手段により規制される場合に前記付与部材に力が作用する部位と、前記付与部材規制手段が当該付与部材の移動を規制する際に当該付与部材に力が作用する部位とは、当該付与部材を回転可能に支持する支持部材を挟んで反対側であることを特徴とする請求項６に記載の清掃装置。
【請求項８】
前記付与部材には外周面から凹んだ凹部が形成されており、
前記付与部材規制手段は、前記付与部材の前記凹部に嵌め込まれる止め輪を有することを特徴とする請求項６または７に記載の清掃装置。
【請求項９】
前記清掃部材が前記付与部材から受ける移動力と、前記清掃部材規制手段が当該清掃部材の移動を規制する際に当該清掃部材が受ける力とが同軸上に作用することを特徴とする請求項６から８のいずれか１項に記載の清掃装置。
【請求項１０】
前記清掃部材規制手段は、前記付与部材を回転可能に支持する支持部材、または当該支持部材と前記清掃部材との間に介在する部材であることを特徴とする請求項６から９のいずれか１項に記載の清掃装置。
【請求項１１】
画像を保持する像保持体と、
前記像保持体の回転軸方向に沿って配置されて当該像保持体の表面を帯電する帯電手段と、
前記帯電手段を構成する部品に接触しつつ前記回転軸方向に移動することで当該部品を清掃するとともに清掃した後には前記像保持体における当該回転軸方向の一方の端部側に設けられた待機位置に戻る清掃部材と、
前記回転軸方向に沿って配置されるとともに回転駆動力を受けて回転することにより前記清掃部材に対して前記回転軸方向に移動する移動力を付与する付与部材と、
前記清掃部材の移動を規制する清掃部材規制手段と、
前記付与部材の移動を規制する付与部材規制手段と、
を備え、
前記付与部材が移動力を付与しているにも関わらず前記清掃部材の移動が前記清掃部材規制手段により規制される場合に当該付与部材に作用する力と、前記付与部材規制手段が前記付与部材の移動を規制する際に当該付与部材に作用する力とが引き合う関係となることを特徴とする画像形成装置。
【手続補正２】
【補正対象書類名】明細書
【補正対象項目名】０００５
【補正方法】変更
【補正の内容】
【０００５】
請求項１に記載の発明は、回転する被帯電体の回転軸方向に沿って配置されて当該被帯電体の表面を帯電する帯電手段と、前記帯電手段を構成する部品に接触しつつ前記回転軸方向に移動することで当該部品を清掃するとともに清掃した後には前記被帯電体における当該回転軸方向の一方の端部側に設けられた待機位置に戻る清掃部材と、前記回転軸方向に沿って配置されるとともに回転駆動力を受けて回転することにより前記清掃部材に対して前記回転軸方向に移動する移動力を付与する付与部材と、前記清掃部材の移動を規制する清掃部材規制手段と、前記付与部材の移動を規制する付与部材規制手段と、を備え、前記付与部材が移動力を付与しているにも関わらず前記清掃部材の移動が前記清掃部材規制手段により規制される場合に当該付与部材に作用する力と、前記付与部材規制手段が前記付与部材の移動を規制する際に当該付与部材に作用する力とが引き合う関係となることを特徴とする帯電装置である。
【手続補正３】
【補正対象書類名】明細書
【補正対象項目名】０００６
【補正方法】変更
【補正の内容】
【０００６】
請求項２に記載の発明は、前記清掃部材の移動が前記清掃部材規制手段により規制される場合に前記付与部材に力が作用する部位と、前記付与部材規制手段が当該付与部材の移動を規制する際に当該付与部材に力が作用する部位とは、当該付与部材を回転可能に支持する支持部材を挟んで反対側であることを特徴とする請求項１に記載の帯電装置である。
請求項３に記載の発明は、前記付与部材には外周面から凹んだ凹部が形成されており、前記付与部材規制手段は、前記付与部材の前記凹部に嵌め込まれる止め輪を有することを特徴とする請求項１または２に記載の帯電装置である。
【手続補正４】
【補正対象書類名】明細書
【補正対象項目名】０００８
【補正方法】変更
【補正の内容】
【０００８】
請求項６に記載の発明は、回転する被帯電体の回転軸方向に沿って配置されて当該被帯電体の表面を帯電する帯電手段を構成する部品に接触しつつ当該回転軸方向に移動することで当該部品を清掃するとともに清掃した後には当該被帯電体における当該回転軸方向の一方の端部側に設けられた待機位置に戻る清掃部材と、前記回転軸方向に沿って配置されるとともに回転駆動力を受けて回転することにより前記清掃部材に対して前記回転軸方向に移動する移動力を付与する付与部材と、前記清掃部材の移動を規制する清掃部材規制手段と、前記付与部材の移動を規制する付与部材規制手段と、を備え、前記付与部材が移動力を付与しているにも関わらず前記清掃部材の移動が前記清掃部材規制手段により規制される場合に当該付与部材に作用する力と、前記付与部材規制手段が前記付与部材の移動を規制する際に当該付与部材に作用する力とが引き合う関係となることを特徴とする清掃装置である。
【手続補正５】
【補正対象書類名】明細書
【補正対象項目名】０００９
【補正方法】変更
【補正の内容】
【０００９】
請求項７に記載の発明は、前記清掃部材の移動が前記清掃部材規制手段により規制される場合に前記付与部材に力が作用する部位と、前記付与部材規制手段が当該付与部材の移動を規制する際に当該付与部材に力が作用する部位とは、当該付与部材を回転可能に支持する支持部材を挟んで反対側であることを特徴とする請求項６に記載の清掃装置である。
請求項８に記載の発明は、前記付与部材には外周面から凹んだ凹部が形成されており、前記付与部材規制手段は、前記付与部材の前記凹部に嵌め込まれる止め輪を有することを特徴とする請求項６または７に記載の清掃装置である。
【手続補正６】
【補正対象書類名】明細書
【補正対象項目名】００１１
【補正方法】変更
【補正の内容】
【００１１】
請求項１１に記載の発明は、画像を保持する像保持体と、前記像保持体の回転軸方向に沿って配置されて当該像保持体の表面を帯電する帯電手段と、前記帯電手段を構成する部品に接触しつつ前記回転軸方向に移動することで当該部品を清掃するとともに清掃した後には前記像保持体における当該回転軸方向の一方の端部側に設けられた待機位置に戻る清掃部材と、前記回転軸方向に沿って配置されるとともに回転駆動力を受けて回転することにより前記清掃部材に対して前記回転軸方向に移動する移動力を付与する付与部材と、前記清掃部材の移動を規制する清掃部材規制手段と、前記付与部材の移動を規制する付与部材規制手段と、を備え、前記付与部材が移動力を付与しているにも関わらず前記清掃部材の移動が前記清掃部材規制手段により規制される場合に当該付与部材に作用する力と、前記付与部材規制手段が前記付与部材の移動を規制する際に当該付与部材に作用する力とが引き合う関係となることを特徴とする画像形成装置である。